(57)【要約】【課題】簡易な構成かつ低コストで、プロジェクターからの画像を歪み無く鮮明に映し出すことが可能なプロジェクター用スクリーンユニットを提供する。【解決手段】位置決め板１５には、プロジェクター１と当接してその載置位置（設置位置）を規制（位置決め）する規制部材１７が形成されている。この規制部材１７は、例えば、プロジェクター１のＸ方向（スクリーン面とプロジェクターとの間隔に沿った方向）の載置（設置）位置を規制（位置決め）する第一規制部材１７ａと、Ｙ方向（スクリーンの幅方向）の載置位置を規制（位置決め）する第二規制部材１７ｂとからなる。このような規制部材１７は、例えば、位置決め板１５と一体に形成されていればよい。【選択図】図１
2010145456.tif 000002
【特許請求の範囲】
【請求項１】
プロジェクターから投射された光を映し出すスクリーンと、
該スクリーンを展開位置および収容位置の間で移動可能に収容するスクリーンボックス
と、
該スクリーンボックスに取り付けられるとともに、前記プロジェクターの一部と当接し
て前記スクリーンに対する前記プロジェクターの設置位置を規制する規制部材が形成され
た台座と、
を備えたことを特徴とするプロジェクター用スクリーンユニット。
【請求項２】
前記台座は、前記プロジェクターの設置面に対する角度、および前記プロジェクターの
前記スクリーンに対する距離を調節可能な調節機構を更に備えていることを特徴とする請
求項１記載のプロジェクター用スクリーンユニット。
【請求項３】
前記スクリーンボックスの内部には、前記台座を収容する台座収容部を備えていること
を特徴とする請求項１または２記載のプロジェクター用スクリーンユニット。
【請求項４】
前記台座は、前記プロジェクターを載置した際の前記プロジェクターの自重によって、
設置面に押し付けられることを特徴とする請求項１ないし３いずれか１項記載のプロジェ
クター用スクリーンユニット。
【請求項５】
前記規制部材は、前記プロジェクターに対してネジ止めによって結合するためのネジ、
またはネジ穴であることを特徴とする請求項１ないし４いずれか１項記載のプロジェクタ
ー用スクリーンユニット。
【請求項６】
前記スクリーンボックス、前記台座、および前記プロジェクターを収容するラックを更
に備えたことを特徴とする請求項１ないし５いずれか１項記載のプロジェクター用スクリ
ーンユニット。
【発明の詳細な説明】
【技術分野】
【０００１】
本発明は、プロジェクターから投射された光を映し出すプロジェクター用スクリーンユ
ニットに関する。
【背景技術】
【０００２】
近年、会議やプレゼンテーションなどにおいて、コンピュータ等で作成、処理された画
像や、記録媒体に記録された画像を、スクリーンに投影して表示するプロジェクターが、
広く一般的に使用されている。
【０００３】
こうしたプロジェクターの中には、例えば、スクリーンの直下近傍に載置して、斜め上
方向に画像などの光を投射し、スクリーンに画像を映し出す、近接投影タイプのプロジェ
クターが知られている。このような近接投影タイプのプロジェクターは、プロジェクター
とスクリーンとの距離が極めて近く、かつ、スクリーンに対する投射光の入射角度が、例
えば７０°以上など急角度である。このため、スクリーンに対するプロジェクターの設置
距離や設置角度が所定の位置より少しでもズレてしまうと、スクリーンに投影された画像
が台形状に変形したり、画像の一部がスクリーンからはみ出してしまうという不具合が生
じる。
【０００４】
このように、近接投影タイプのプロジェクターから投射された画像をスクリーンに歪み
無く鮮明に映し出すために、例えば、特許文献１には、映像投影手段（プロジェクター）
と映像表示手段（スクリーン）との相対的な位置及び姿勢を計測する計測手段を設けるこ
とにより、スクリーン位置を変化させても、観察者に鮮明な映像を視認させることができ
る映像表示装置が記載されている。
【特許文献１】特開２００８−３３２３４号公報
【発明の開示】
【発明が解決しようとする課題】
【０００５】
しかしながら、特許文献１に記載された構成では、映像投影手段（プロジェクター）側
に映像表示手段（スクリーン）との相対的な位置及び姿勢を計測する計測手段を設けると
いう、複雑な構成でコストのかかるものであり、実用性の観点から課題があった。
【０００６】
本発明にかかるいくつかの態様は、上記事情に鑑みてなされたものであり、簡易な構成
かつ低コストで、プロジェクターからの画像を歪み無く鮮明に映し出すことが可能なプロ
ジェクター用スクリーンユニットを提供する。
【課題を解決するための手段】
【０００７】
上記課題を解決するために、本発明のいくつかの態様は次のようなプロジェクター用スク
リーンユニットを提供した。
すなわち、本発明のプロジェクター用スクリーンユニットは、プロジェクターから投射
された光を映し出すスクリーンと、該スクリーンを展開位置および収容位置の間で移動可
能に収容するスクリーンボックスと、該スクリーンボックスに取り付けられるとともに、
前記プロジェクターの一部と当接して前記スクリーンに対する前記プロジェクターの設置
位置を規制する規制部材が形成された台座と、を備えたことを特徴とする。
【０００８】
これにより、プロジェクターを用いて画像を映し出す際に、スクリーンボックスに台座
を取り付けて、プロジェクターを規制部材に当接させて載置するだけで、スクリーンに対
してプロジェクターを正しい位置（歪やボケのない鮮明な画像と投射できる位置）に誘導
することができる。従って、従来のように、投影した画像の状態を見ながらながらプロジ
ェクターの位置を動かしたりする手間が必要なく、短時間でプロジェクターのセッティン
グを行うことが可能になる。また、プロジェクターに、スクリーンに対する相対的な位置
や姿勢を計測する計測手段を設けるなどという必要も無く、簡易な構成で低コストにプロ
ジェクターの迅速なセッティングをすることができる。
【０００９】
前記台座は、前記プロジェクターの設置面に対する角度、および前記プロジェクターの
前記スクリーンに対する距離を調節可能な調節機構を更に備えていることが好ましい。こ
れにより、プロジェクターとスクリーンとの相対位置を微調整することができ、より一層
、歪の無い鮮明な画像をスクリーンに映し出すことが可能になる。
【００１０】
前記スクリーンボックスの内部には、前記台座を収容する台座収容部を備えていること
が好ましい。これにより、プロジェクターを使用しない時にも、プロジェクター用スクリ
ーンユニットをコンパクトに置いておくことが可能になる。
【００１１】
前記台座は、前記プロジェクターを載置した際の前記プロジェクターの自重によって、
設置面に押し付けられることが好ましい。これにより、台座の上に重量の大きいプロジェ
クターが載置され、スクリーンボックス全体が揺動すること無く載置される。よって、ス
クリーンは設置面に対する垂直方向に沿って揺動することなく起立し、映し出された画像
をブレることなく鮮明に投影することができる。
【００１２】
前記規制部材は、前記プロジェクターに対してネジ止めによって結合するためのネジ、
またはネジ穴であることが好ましい。これによりプロジェクターとスクリーンとの相対位
置がズレることなく固定でき、かつ、プロジェクターの投射光の投射角度も調整が可能に
なる。
【００１３】
前記スクリーンボックス、前記台座、および前記プロジェクターを収容するラックを更
に備えていてもよい。これにより、スクリーンボックスやプロジェクターをコンパクトに
、かつ所定の位置に収容できる。
【発明を実施するための最良の形態】
【００１４】
本発明のプロジェクター用スクリーンユニットの最良の形態について説明する。なお、
本実施形態は、発明の趣旨をより良く理解させるために具体的に説明するものであり、特
に指定のない限り、本発明を限定するものではない。また、以下の説明で用いる図面は、
本発明の特徴をわかりやすくするために、便宜上、要部となる部分を拡大して示している
場合があり、各構成要素の寸法比率などが実際と同じであるとは限らない。
【００１５】
図１は、本発明のプロジェクター用スクリーンユニットを示す外観斜視図である。また
、図２は、スクリーンを収容した状態のプロジェクター用スクリーンユニットを示す外観
斜視図である。更に、図３はプロジェクター用スクリーンユニットを上部から俯瞰した平
面図、図４は側面断面図である。
本発明のプロジェクター用スクリーンユニット（以下、スクリーンユニットと称する）
１０は、プロジェクター１から投射された光（投射光）Ｒを映し出すスクリーン１１と、
このスクリーンを収容するスクリーンボックス１２と、スクリーンボックス１２に取り付
けられる台座１３とを備えている。
【００１６】
スクリーン１１は、例えば、表面に反射防止処理が施された樹脂シートであればよい。
スクリーンボックス１２は、例えば、金属など強度のある材料によって形成された長方形
状の中空な箱体であればよい。この中空なスクリーンボックス１２の内部には、スクリー
ン１１がロール状に巻き付けられて収容される。そして、スクリーンボックス１２の一面
（上面）には、スクリーン１１を挿脱させるスリット状の開口１２ａが形成されている。
これにより、スクリーン１１は、プロジェクター１から投射された画像を映し出すように
展開した展開位置（図１）と、不使用時などにスクリーンボックス１２の内部に収容され
た収容位置（図２）の間で移動可能とされる。
【００１７】
また、スクリーンボックス１２の側面には、開閉自在な蓋１８が取り付けられている。
この蓋１８を開けることによって、スクリーンボックス１２の内部空間が露呈される。ス
クリーンボックス１２の内部における、スクリーン１１をロール状に巻き付けて収容する
スペースの下部には、後述する台座１３を収納する台座収容部１４が形成されている。台
座１３を台座収容部１４から取り出し、または収容する際には、この蓋１８を開けてスク
リーンボックス１２から台座１３を出入れする。
【００１８】
台座１３は、例えば、全体が剛性のある金属などから形成され、スクリーンボックス１
２の底部に着脱自在に固定される。この台座１３は、例えば、プロジェクター１と当接す
る位置決め板１５と、展開位置にあるスクリーン１１が揺動しないよう、スクリーンボッ
クス１２を安定して載置させる安定板１６とからなる。なお、こうした位置決め板１５と
安定板１６とは、それぞれ個別に形成されていても、一体に形成されていてもよい。
【００１９】
スクリーン１１は、僅かに揺動しただけでもプロジェクター１から投射された画像が歪
む虞があるため、スクリーンボックス１２の両端部に幅の広い安定板１６を取り付けるこ
とにより、スクリーン１１を展開位置で安定して展開させる。
【００２０】
位置決め板１５には、プロジェクター１と当接してその載置位置（設置位置）を規制（
位置決め）する規制部材１７が形成されている。この規制部材１７は、例えば、プロジェ
クター１のＸ方向（スクリーン面とプロジェクターとの間隔に沿った方向）の載置（設置
）位置を規制（位置決め）する第一規制部材１７ａと、Ｙ方向（スクリーンの幅方向）の
載置位置を規制（位置決め）する第二規制部材１７ｂとからなる。このような規制部材１
７は、例えば、位置決め板１５と一体に形成されていればよい。
【００２１】
このような構成のスクリーンユニット１０の作用を説明する。スクリーンユニット１０
を用いて、プロジェクター１から投射された画像を映し出す際には、まず、スクリーンボ
ックス１２の蓋１８を開け、台座収容部１４から台座１３を取り出す。そして、この台座
を構成する位置決め板１５、および安定板１６をスクリーンボックス１２の底部に取り付
ける。
【００２２】
次に、画像の投影に用いるプロジェクター１を位置決め板１５の上に載置する。この時
、プロジェクター１の筐体が第一規制部材１７ａ、および第二規制部材１７ｂに当接する
位置に押し付けるように載置する。こうした規制部材１７は、プロジェクター１を当接さ
せた際に、プロジェクター１から投射した画像がスクリーン１１に歪やボケがなく鮮明に
表示できる位置に設けられている。
【００２３】
これによって、スクリーンユニット１０を用いれば、プロジェクター１をスクリーン１
１に対して所定の位置、即ち、プロジェクター１から投射された光（投射光）Ｒが、スク
リーン１１の表面において歪やボケがなく鮮明な画像が映し出される位置に、容易にセッ
ティングすることができる。そして、プロジェクター１を位置決め板１５に設けられた規
制部材１７に当接させて載置することにより、プロジェクター１から投射された光（投射
光）Ｒは、スクリーン１１に対して光軸が所定の角度θ１で、投射され、スクリーン１１
の表面に歪やボケのない鮮明な画像が映し出される
【００２４】
また、安定板１６によって、スクリーン１１を支えるスクリーンボックス１２を安定し
て載置することができる。さらに、位置決め板１５の上に重量の大きいプロジェクター１
を載置することによって、台座１３全体が設置面Ｇに押し付けられ、スクリーンボックス
１２全体が揺動すること無く載置される。これにより、スクリーン１１は設置面Ｇに対す
る垂直方向Ｚに沿って揺動することなく起立し、映し出された画像をブレることなく鮮明
に投影を続けることができる。
【００２５】
そして、スクリーンユニット１０の使用が終わった後は、位置決め板１５、および安定
板１６からなる台座１３をスクリーンボックス１２の台座収容部１４に収容することによ
って、不必要に広い場所を占有することなくコンパクトに片付けておくことができる。
【００２６】
以上のように、プロジェクター１を用いて画像を映し出す際に、スクリーンボックス１
２に台座１３を取り付けて、プロジェクター１を位置決め板１５の規制部材１７に当接さ
せて載置するだけで、スクリーン１１に対してプロジェクター１を正しい位置（歪やボケ
のない鮮明な画像と投射できる位置）に誘導することができる。従って、従来のように、
投影した画像の状態を見ながらながらプロジェクターの位置を動かしたりする手間が必要
なく、短時間でプロジェクターのセッティングを行うことが可能になる。
【００２７】
また、プロジェクターに、スクリーンに対する相対的な位置や姿勢を計測する計測手段
を設けるなどという必要も無く、簡易な構成で低コストにプロジェクターの迅速なセッテ
ィングをすることができる。
【００２８】
なお、こうした位置決め板１５は、スクリーン１１に対して最適な画像の投射位置で位
置決めされるように、例えばプロジェクターの機種ごとに対応する専用の位置決め板を用
意するのが好ましい。あるいは、プロジェクターの機種ごとに規制部材１７の取り付け位
置を微調整できるものであってもよい。
【００２９】
図５は、本発明のプロジェクター用スクリーンユニットの別な一例を示す側面断面図で
ある。このスクリーンユニット（プロジェクター用スクリーンユニット）２０では、台座
２３の位置決め板２５に、突起からなる規制部材２７を設けている。そして、プロジェク
ター２の底部には、この突起状の規制部材２７と嵌合する係合穴２ａが形成される。
【００３０】
このような構成のスクリーンユニット２０でも、使用時においては、突起状の規制部材
２７と係合穴２ａとが嵌合するように、プロジェクター２を位置決め板２５に載置するだ
けでよい。これによって、プロジェクター２は、投射光Ｒがスクリーンボックス２２に支
持されたスクリーン２１に対して鮮明な画像を投射できる投射角度θ２となる位置に、容
易に設置することが可能となる。
【００３１】
図６は、本発明のプロジェクター用スクリーンユニットの別な一例を示す側面断面図で
ある。このスクリーンユニット（プロジェクター用スクリーンユニット）３０では、台座
３３の位置決め板３５に、ネジ３７ａ、ネジ受け３７ｂからなる規制部材３７を設けてい
る。そして、プロジェクター３のスクリーン３１寄りの側面には、このネジ３７ａと嵌合
するネジ穴３ａが形成される。
【００３２】
このような構成のスクリーンユニット３０は、ネジ３７ａを回すことによって、このネ
ジ３７ａと嵌合するネジ穴３ａが上下動可能となる。これにより、プロジェクター３をス
クリーン側だけ上下動させ、投射光Ｒの投射角度θ３を微調整することが可能となる。ま
た、ネジ穴３ａをＸ方向に沿って延びる長穴とすることにより、プロジェクター３と、ス
クリーンボックス３２に支持されたスクリーン３１との距離も微調整することが可能とな
る。
【００３３】
図７（ａ）は、本発明のプロジェクター用スクリーンユニットの別な一例を示す側面断
面図であり、また、図７（ｂ）は、その正面平面図である。このスクリーンユニット（プ
ロジェクター用スクリーンユニット）４０では、スクリーンボックス４２、台座４３、プ
ロジェクター４などを収容するラック４９を備えている。
【００３４】
これによって、プロジェクター４は規制部材４７と嵌合して所定の位置に載置されると
共に、スクリーンボックス４２に支持されたスクリーン４１も所定の位置で展開される。
こうしたラック４９を用いることによって、スクリーン４１やプロジェクター４などをコ
ンパクトに、かつ見栄え良く設置することができる。また、プロジェクター４に関連する
他の機器、例えば、オーディオ装置５１、スピーカ５２なども併せてコンパクトに収容し
、外観上も統一感のあるプロジェクターシステムとすることができる。
【図面の簡単な説明】
【００３５】
【図１】本発明のプロジェクター用スクリーンユニットを示す外観斜視図である。
【図２】スクリーンを収容した状態のプロジェクター用スクリーンユニットを示す外観斜視図である。
【図３】本発明のプロジェクター用スクリーンユニットを示す平面図である。
【図４】本発明のプロジェクター用スクリーンユニットを示す側面断面図である。
【図５】本発明のプロジェクター用スクリーンユニットの他の実施形態を示す断面図である。
【図６】本発明のプロジェクター用スクリーンユニットの他の実施形態を示す断面図である。
【図７】本発明のプロジェクター用スクリーンユニットの他の実施形態を示す断面図、および正面図である。
【符号の説明】
【００３６】
１  プロジェクター
１０  スクリーンユニット（プロジェクター用スクリーンユニット）
１１  スクリーン
１２  スクリーンボックス
１３  台座
１７  規制部材
【図１】
2010145456.tif 000003
【図２】
2010145456.tif 000004
【図３】
2010145456.tif 000005
【図４】
2010145456.tif 000006
【図５】
2010145456.tif 000007
【図６】
2010145456.tif 000008
【図７】
2010145456.tif 000009